(57)【要約】【課題】電源供給に別途に電源装置を利用せず、電源を遠隔より供給するネットワーク装置を提供する。【解決手段】８芯のツイステッドペアケーブルと８極モジュラコネクタとからなるＲＪ−４５インターフェースにおいて、８極モジュラコネクタの４番目と５番目の空いているピン及び未使用分の８芯ツイステッドペアケーブルを利用し、遠隔電源供給器及びネットワークシステム周辺設備に連結して、ネットワーク装置作動に必要な電源を伝送し、電源を遠隔より供給する。【選択図】　　　　図３
0003097425.tif 000002
【実用新案登録請求の範囲】
【請求項１】
ネットワークシステム周辺設備と、８極モジュラコネクタのインターフェイスと、ネットワークシグナル転換器と、ネットワークチップと、電源転換器と、遠隔電源供給器とより構成され、電源を遠隔より供給するネットワーク装置において、
８極モジュラコネクタのインターフェイス，ネットワークシステム転換器，ネットワークチップ及び電源転換器より構成されるネットワークシステム周辺設備とが８芯ツイステッドペアケーブルで相互に連結され、シグナル伝送と電源供給の媒介の役割を果たす８極モジュラコネクタのインターフェイスと、
電圧シグナル及びパケットシグナルの転換を行うネットワークシグナル転換器と、
パケットシグナルのプロトコル及びメディアアクセスコントロールを行い、データパケットのシグナルソース及び目的地を探索し、パケットシグナル伝送のパスを提供するネットワークチップと、
交流電源Ｖ１をネットワークシステム周辺設備の必要とする直流電源Ｖ２に転換し、ネットワークシステム周辺設備が作動する際に必要な電力を提供する電源転換器と、
電源供給器を含む遠隔電源供給器とより構成され、
該電源供給器は、交流電源Ｖ１を、前記８極モジュラコネクタの４番目と５番目の空いているピン及び未使用の部分の８芯ツイステッドペアケーブルに注入し、並びに８極モジュラコネクタ７番目のピン及び８番目のピンをアースとすることを特徴とする電源を遠隔より供給するネットワーク装置。
【請求項２】
前記ネットワークシステム周辺設備内部のピンの連結を、既に電源が供給された８極モジュラコネクタの１番目と２番目のピン、並びに３番目と６番目のピンを、ネットワークシグナル転換器に連結することで、ネットワークシグナル転換器によって電圧をデータパケットに転換し、更にネットワークチップによってデータパケットシグナルを処理し、並びに伝送パスを提供し、既に電気が供給されている前記８極モジュラコネクタの４番目と５番目のピンで交流電源Ｖ１を電源変換器に連結することで、前記電源変換器を介して交流電源Ｖ１をネットワークシステム周辺設備の必要とする直流電源Ｖ２に変換し、ネットワークシステム周辺設備が作動するのに必要な電源を提供し、ネットワークシステム周辺設備が別途の電源装置を設けなくとも使用者がネットワークシステムを使用してサイトの検索やデータの伝送を行えるようにし、
更に、前記遠隔電源供給器の内部ピンの接続を、電源が提供されていない８芯ツイステッドペアケーブルをネットワークシステムの連結させ、前記８極モジュラコネクタの１番目のピンと２番目のピンと３番目のピンと６番目のピンをシグナル伝送のパスとし、更に電源供給器によって交流電源Ｖ１を４番目と５番目の空いているピン及び未使用の部分の８芯ツイステッドペアケーブルに注入し、電源が供給されていない８極モジュラコネクタの８芯ツイステッドペアケーブルを既に電源が提供されている８芯ツイステッドペアケーブルとすることで、ネットワークシステム周辺設備の必要な電源を供給することを特徴とする請求項１記載の電源を遠隔より供給するネットワーク装置。
【請求項３】
前記ネットワークシステム周辺設備は、前記８極モジュラコネクタのインターフェイスと電源変換器との間に、整流ダイオード及び電源供給器が設けられ、該電源供給器によって該ネットワーク装置に連結、及びその必要な電源を供給し、且つ該整流ダイオードによって電流が相互に衝突することを防止することを特徴とする請求項１記載の電源を遠隔より供給するネットワーク装置。
【考案の詳細な説明】
【０００１】
【考案の属する技術分野】
本考案は、電源を遠隔より供給するネットワーク装置に係り、特にネットワークシステム周辺設備が遠隔の交流電源供給装置から供給される交流電源を、ネットワークシステム周辺設備の必要とする直流電流電源に変換して供給するネットワーク装置の技術分野に属する。
【０００２】
【従来の技術】
従来公知のネットワークシステムの構造は、図１に示すように、８極モジュラコネクタ（ＲＪ−４５）の８芯ツイステッドペアケーブルを用いて、ネットワークシステムからネットワーク装置Ａに連結させ、該ネットワーク装置Ａは電源供給器Ａ１を利用し、電源コンセントＢより該ネットワーク装置Ａに必要な電源を摂取し、使用者がネットワークシステムを利用できるようにしている。
【０００３】
【考案が解決しようとする課題】
しかしながら、上述のような公知の方法によると、ネットワーク装置は電源供給器を利用して電源コンセントから電源を供給していること、また架設する範囲が広すぎる場合には、また、別の電源コンセントとコードが必要になってコストと複雑さが増すばかりであり、装置を設置することで外観が悪くなるといった問題や、増設する際の設定の難度なども問題となっている。
そこで、本考案は、これらの欠点を解決するべく為されたもので、電源供給にその他の装置を利用しないで、電源を遠隔より供給するネットワーク装置を提供する。
【０００４】
【課題を解決するための手段】
前記課題を解決するために、請求項１の考案は、ネットワークシステム周辺設備と、８極モジュラコネクタのインターフェイスと、ネットワークシグナル転換器と、ネットワークチップと、電源転換器と、遠隔電源供給器とより構成され、電源を遠隔より供給するネットワーク装置において、８極モジュラコネクタのインターフェイス，ネットワークシステム転換器，ネットワークチップ及び電源転換器より構成されるネットワークシステム周辺設備とが８芯ツイステッドペアケーブルで相互に連結され、シグナル伝送と電源供給の媒介の役割を果たす８極モジュラコネクタのインターフェイスと、電圧シグナル及びパケットシグナルの転換を行うネットワークシグナル転換器と、パケットシグナルのプロトコル及びメディアアクセスコントロールを行い、データパケットのシグナルソース及び目的地を探索し、パケットシグナル伝送のパスを提供するネットワークチップと、交流電源Ｖ１をネットワークシステム周辺設備の必要とする直流電源Ｖ２に転換し、ネットワークシステム周辺設備が作動する際に必要な電力を提供する電源転換器と、電源供給器を含む遠隔電源供給器とより構成され、該電源供給器は、交流電源Ｖ１を、前記８極モジュラコネクタの４番目と５番目の空いているピン及び未使用の部分の８芯ツイステッドペアケーブルに注入し、並びに８極モジュラコネクタ７番目のピン及び８番目のピンをアースとすることを特徴とする電源を遠隔より供給するネットワーク装置である。
請求項２の考案は、前記ネットワークシステム周辺設備内部のピンの連結を、既に電源が供給された８極モジュラコネクタの１番目と２番目のピン、並びに３番目と６番目のピンを、ネットワークシグナル転換器に連結することで、ネットワークシグナル転換器によって電圧をデータパケットに転換し、更にネットワークチップによってデータパケットシグナルを処理し、並びに伝送パスを提供し、既に電気が供給されている前記８極モジュラコネクタの４番目と５番目のピンで交流電源Ｖ１を電源変換器に連結することで、前記電源変換器を介して交流電源Ｖ１をネットワークシステム周辺設備の必要とする直流電源Ｖ２に変換し、ネットワークシステム周辺設備が作動するのに必要な電源を提供し、ネットワークシステム周辺設備が別途の電源装置を設けなくとも使用者がネットワークシステムを使用してサイトの検索やデータの伝送を行えるようにし、更に、前記遠隔電源供給器の内部ピンの接続を、電源が提供されていない８芯ツイステッドペアケーブルをネットワークシステムの連結させ、前記８極モジュラコネクタの１番目のピンと２番目のピンと３番目のピンと６番目のピンをシグナル伝送のパスとし、更に電源供給器によって交流電源Ｖ１を４番目と５番目の空いているピン及び未使用の部分の８芯ツイステッドペアケーブルに注入し、電源が供給されていない８極モジュラコネクタの８芯ツイステッドペアケーブルを既に電源が提供されている８芯ツイステッドペアケーブルとすることで、ネットワークシステム周辺設備の必要な電源を供給することを特徴とする請求項１記載の電源を遠隔より供給するネットワーク装置である。
請求項３の考案は、前記ネットワークシステム周辺設備は、前記８極モジュラコネクタのインターフェイスと電源変換器との間に、整流ダイオード及び電源供給器が設けられ、該電源供給器によって該ネットワーク装置に連結、及びその必要な電源を供給し、且つ該整流ダイオードによって電流が相互に衝突することを防止することを特徴とする請求項１記載の電源を遠隔より供給するネットワーク装置である。
すなわち、前記各考案は、８芯のツイステッドペアケーブルと８極モジュラコネクタとからなるＲＪ−４５インターフェースにおいて、８極モジュラコネクタの４番目と５番目の空いているピン及び未使用分のツイステッドペアケーブルを利用し、遠隔電源供給器及びネットワークシステム周辺設備に連結して、ネットワーク装置作動に必要な電源を伝送し、電源を遠隔より供給するものである。
【０００５】
【考案実施の形態】
本考案の好適な実施例を図面に沿って説明するが、図２及び図３に示すように、主に、特別に電源装置を設けることなしに、電源を供給することでコストを節約するネットワークシステム周辺設備１及び遠隔電源供給器２より構成される。このネットワーク周辺設備１は８極モジュラコネクタ（ＲＪ−４５）の８芯のツイステッドペアケーブルを用いて、８極モジュラコネクタ（ＲＪ−４５）のインターフェイス１１とネットワークシグナル転換器１２、並びに、ネットワークチップ１３と電源変換器１４とより構成される。
この８極８芯のモジュラコネクタ（ＲＪ−４５）・インターフェイス１１は８極８芯のツイステッドペアケーブルで相互に連結され、シグナルの伝送と電源供給の媒介をなすものであり、前記ネットワークシグナル転換器１２は、電圧シグナル及びパケットシグナルの転換を行うものであり、前記ネットワークチップ１３においては、パケットシグナルのプロトコル及びメディアアクセスコントロールを行うものであり、データパケットのシグナルのソース及び目的地を探索し、パケットシグナル伝送のパスを提供するものである。
該電源変換器１４においては、交流電源Ｖ１（ＡＣ４８Ｖ）を、該ネットワークシステム周辺設備１に必要な直流電流Ｖ２（ＤＣ５Ｖ）変換するものであり、並びに該ネットワークシステム周辺設備１が作動するのに必要な電源を提供するものである。
また、この遠隔電源供給器２においては、電源供給器２１を含む。該電源供給器２１は、交流電源Ｖ１（ＡＣ４８Ｖ）を、８極モジュラコネクタ（ＲＪ−４５）の４番目と５番目の空いているピン及び使用されていない部分の８芯ツイステッドペアケーブルに注入し、７番目と８番目のピン（ＧＮＤ）をアースとする。
【０００６】
図３に示すように、本考案の実施例のネットワークシステム周辺設備１は、既に電源が提供されている８極モジュラコネクタ（ＲＪ−４５）のツイステッドペアケーブル４を遠隔電源供給器２に接続し、遠隔より必要な電源を供給し、電源がまだ提供されていない別の８極モジュラコネクタ（ＲＪ−４５）のツイステッドペアケーブル３でネットワークシステムにまで連結し、該遠隔電源供給器２を、電源を供給するピンと連結させる（図４参照）。
これを具体的に８極モジュラコネクタ（ＲＪ−４５）のピンの接続で説明すると、図４に示すように、電源の提供されていない８芯（ＲＪ−４５）ツイステッドペアケーブル３をネットワークシステムと連結させ、１番目のピン（ＴＸ＋），２番目のピン（ＴＸ−），３番目のピン（ＲＸ＋），６番目のピン（ＲＸ−）をシグナル伝送のパスとし、更に該電源供給器２１によって、交流電源Ｖ１（ＡＣ４８Ｖ）を４番目と５番目のピン及びまだ使用されていない部分のツイステッドペアに注入させ、更に７番目と８番目のピン（ＧＮＤ）をアースとし、電源の供給されていない８芯ツイステッドペアケーブル３を既に電源の供給されている８芯ツイステッドペアケーブル４とし、これらのネットワークシステム周辺設備１の必要とする電源を供給する。
【０００７】
図５に示すように、該電源の既に供給されている８芯（ＲＪ−４５）ツイステッドペアケーブル４の１番目のピン（ＴＸ＋），２番目のピン（ＴＸ−），３番目のピン（ＲＸ＋），６番目のピン（ＲＸ−）を、ネットワークシグナル転換器１２に連結させ、該ネットワークシグナル転換器１２によって電圧をデータパケットにし、更に該ネットワークチップ１３によってデータパケットシグナルを処理し、並びに伝送パスを提供する。既に電源の供給されているＲＪ−４５ツイステッドペア４の４番目と５番目のピンが、交流電源Ｖ１（ＡＣ４８Ｖ）を該電源転換器１４にまで連結させ、並びに該電源転換器１４によって該交流電源Ｖ１（ＡＣ４８Ｖ）を該ネットワーク周辺設備１の必要とする直流電源Ｖ２（ＤＣ５Ｖ）に換え、該ネットワーク周辺設備１が作動するのに必要な電源を提供し、該ネットワークシステム１がその他の装置を利用せずともネットワークシステムがサイトの検索とデータ伝送の動作が行えるようにする。
【０００８】
また，本考案の別の実施例では、図６に示すように、該ネットワークシステム１において、８極モジュラコネクタ（ＲＪ−４５）インターフェイス１１と電源転換器１４の間に更に整流ダイオード１５及び整流ダイオード１６及び電源供給器１７を設けたものとしており、こうすることで該整流ダイオード１５及び該整流ダイオード１６によって電流が相互に衝突するのを防止し、該電源供給器１７によって電源と連結し、該ネットワークシステム周辺設備１の必要とする電源（ＤＣ５Ｖ）を提供し、上述同様にその他の装置を利用せずとも必要な電源が供給されるようにする。
【０００９】
【考案の効果】
本考案によれば、別途に電源装置を設けることなく、多数のネットワークシステム周辺設備が架設できるようになり、増設する際の設定の煩わしさも軽減でき、且つ、電源コードやコンセントを増やして複雑さやコストを増加させる必要をなくし、外観もすっきりしてネットワークシステムの使用が更に便利となる効果を有する。
【図面の簡単な説明】
【図１】従来公知におけるネットワーク装置の構造説明図である。
【図２】本考案の実施例におけるネットワークシステム周辺設備内部の構造説明図である。
【図３】本考案の実施例におけるネットワークシステムと遠隔電源供給器の連結及び電源供給における説明図である。
【図４】本考案の実施例におけるネットワークシステムと遠隔電源供給器内部のピン接続説明図である。
【図５】本考案の実施例におけるネットワークシステム周辺設備内部のピン接続説明図である。
【図６】本考案の実施例におけるもう一つの実施例説明図である。
【符号の説明】
Ａ　ネットワーク装置
Ａ１　電源供給器
Ｂ　電源コンセント
１　ネットワークシステム周辺設備
１１　ＲＪ−４５インターフェイス
１２　ネットワークシグナル転換器
１３　ネットワークチップ
１４　電源転換器
１５　整流ダイオード
１６　整流ダイオード
１７　電源供給器
２　遠隔電源供給器
２１　電源供給器
３　電源がまだ提供されていない８芯（ＲＪ−４５）ツイステッドペアケーブル
４　既に電源が提供された８芯（ＲＪ−４５）ツイステッドペアケーブル
５　電源コンセント
【図１】
0003097425.tif 000003
【図２】
0003097425.tif 000004
【図３】
0003097425.tif 000005
【図４】
0003097425.tif 000006
【図５】
0003097425.tif 000007
【図６】
0003097425.tif 000008